(57)【要約】【課題】  メダル通路内でＬＥＤなどの発光体を点滅させることによって不正にメダルを獲得しようとするゴト行為を防止する。【解決手段】  メダル通過センサ４２の真下の壁部４４ｂに孔部４４ｆを形成する。この孔部４４ｆから第１メダル通路４４内に向けて突出するように突出板４８を設ける。突出板４８は、第１メダル通路４４を流下するメダル２９の径方向の面に対して略直交する方向から第１メダル通路４４内に突出する突出位置と、第１メダル通路４４内を流下するメダル２９によって押圧されて突出位置から退避する退避位置との間で移動自在となっている。【選択図】        図３
2006015010.tif 000002
【特許請求の範囲】
【請求項１】
メダル通路を流下するメダルの径方向の面に対峙するように配置され、発光素子から発せられる光を受光する受光素子を有し、前記受光素子が前記発光素子から発せられた光を受光したか否かによって、前記メダルが通過したか否かを検出する遊技機において、
前記発光素子及び前記受光素子の少なくともいずれか１つの下方に設けられ、流下する前記メダルの前記面に対して略直交する方向から前記メダル通路内に突出する突出位置と、前記メダル通路内を流下する前記メダルによって押圧されて前記突出位置から退避する退避位置との間で移動する移動部材と、
前記移動部材を前記退避位置から前記突出位置に向けて付勢する付勢部材と、を設けたことを特徴とする遊技機。
【発明の詳細な説明】
【技術分野】
【０００１】
本発明は、本発明は、メダルが不正に投入されることを防止する遊技機に関するものである。
【背景技術】
【０００２】
本明細書中では遊技機の１つとしてパチスロ機を例に挙げて説明しているため、遊技媒体としてメダルを用いて説明するが、遊技媒体としてはコインやパチンコ玉など他の媒体も含む。また、「メダル（遊技媒体）投入」には、実際にメダル投入口にメダルを投入することの他に、クレジットされたメダルをベットボタンなどによりベットすることを含む。さらに、図柄を入賞有効ライン上に揃えた状態を入賞、入賞となる前の状態で、当選役を決定する抽選（以下、当選役抽選と称する）により当選役が抽選されている状態を内部入賞とする。
【０００３】
パチンコ店などの遊技場に設置して使用されるスロットマシンはパチスロ機と称されている。このようなスロットマシンでは、一般的にメダル投入口から１〜３枚のメダルを投入して遊技が行われる。スロットマシン内には投入されたメダルの選別を行うメダルセレクタが設けられている。メダルセレクタでメダルの選別が行われると、例えば正規なメダルとは大きさが異なるメダルや不適切なタイミングで投入されたメダルはメダル受け皿に排出される。スロットマシンのホッパー装置は、メダルを貯留する貯留タンクを備えており、メダルセレクタは、貯留タンクにメダルを案内するメダル通路及びメダルが通過したことを検知する光電センサを備えている。この光電センサは、メダル通路を流下するメダルの径方向の面に対峙している壁の上部に設けられている。メダル投入口から投入されたメダルがメダル通路を通過して光電センサによって検知されると、投入されたメダルの枚数がカウントされる。
【発明の開示】
【発明が解決しようとする課題】
【０００４】
ところで、近年、正規の方法とは異なる方法によってメダルの投入を行う、いわゆる、ゴト行為が行われることがある。メダルの投入を不正に行うゴト行為を行う際に用いられる器具の１つとして、例えばメダル投入口に挿入することが可能な板状の部材に複数のＬＥＤを直列に配置し、複数のＬＥＤがそれぞれ異なるタイミングで点滅するように制御されるものが知られている。この器具をメダル投入口から挿入して光電センサの下方に一旦位置させた後、上方に移動させて光電センサの発光部を遮蔽すると同時にＬＥＤを点滅させ、光電センサの受光部にＬＥＤの光を受光させることによって光電センサにメダルが通過したことを誤って検知させることができ、これにより、実際にメダルの投入を行うことなくメダルを投入したとみなすことができる。このような器具を用いてメダルの投入を行った遊技者は、ペイアウトボタンの操作によってスロットマシン内に貯留されたメダルを引き出す、あるいは、投入とみなさせたメダル検知によって遊技を行うなどの行為によって不正に利益を得ることができる。ゴト行為によって一部の遊技者が不正に利益を得ることは、遊技場の利益に損失を生じさせるばかりか、公平な遊技を行うことができないことを理由に遊技者の遊技への興味を失わせてしまうこともあり、ゴト行為を防止する機能をスロットマシンに付加することは、遊技機メーカーにとって大きな課題の１つとなっている。しかしながら、上記のような器具を用いたゴト行為に対しては万全な対策がとられていないのが実情であり、これを防止することが求められている。
【０００５】
本発明は、上記課題を解決するためになされたものであり、不正にメダルの投入を行うゴト行為を防止できる遊技機を提供することを目的とする。
【課題を解決するための手段】
【０００６】
上記目的を達成するために、本発明は、メダル通路を流下するメダルの径方向の面に対峙するように配置され、発光素子から発せられる光を受光する受光素子を有し、前記受光素子が前記発光素子から発せられた光を受光したか否かによって、前記メダルが通過したか否かを検出する遊技機において、前記発光素子及び前記受光素子の少なくともいずれか１つの下方に設けられ、流下する前記メダルの前記面に対して略直交する方向から前記メダル通路内に突出する突出位置と、前記メダル通路内を流下する前記メダルによって押圧されて前記突出位置から退避する退避位置との間で移動する移動部材と、前記移動部材を前記退避位置から前記突出位置に向けて付勢する付勢部材と、を設けたことを特徴とする。
【発明の効果】
【０００７】
本発明の遊技機は、発光素子及び受光素子の少なくともいずれか１つの下方に設けられ、流下するメダルの径方向の面に対して略直交する方向からメダル通路内に突出する突出位置と、メダル通路内を流下するメダルによって押圧されて突出位置から退避する退避位置との間で移動する移動部材と、移動部材を退避位置から突出位置に向けて付勢する付勢部材とを設けたので、上述したようなＬＥＤが搭載された器具をメダル投入口から挿入して、ＬＥＤを受光素子の下方に一旦位置させた後に、上方に移動させようとしても、移動部材が障害物となり、ＬＥＤを受光素子に対面させることができなくなる。これにより、受光素子にＬＥＤからの光を受光させて、あたかもメダルがメダル通路を通過したかのように光電センサを誤認識させるゴト行為を確実に防止することができる。
【発明を実施するための最良の形態】
【０００８】
以下、本発明の実施形態を図面を参照して説明する。図１に示すように、スロットマシン１０の前面には、表示窓１１が設けられた前面扉１２が設けられている。表示窓１１の奥には、第１〜第３リール１３ａ〜１３ｃが回転自在に組み込まれたリールユニット２６（図２参照）が配設されている。表示窓１１の下方の部分には、ＭＡＸベットボタン１５、１ベットボタン１６、ストップボタン１７ａ〜１７ｃ、スタートレバー１８、ペイアウトボタン１９等の各種の操作ボタンの他に、メダル２９（図３参照）を投入するメダル投入口２０が設けられている。なお、上記操作ボタンの機能については周知であるため、説明を省略する。前面扉１２の下部には、スロットマシン１０で遊技を行って当選役が入賞した場合に、メダル２９の払い出しを行うためのメダル払出し口２２及びメダル受け皿２３と、遊技中に音楽や音声を発するスピーカ２４が設けられている。
【０００９】
第１〜第３リール１３ａ〜１３ｃの外周には複数種類の絵柄が一定ピッチで配列され、第１〜第３リール１３ａ〜１３ｃが停止した状態では、表示窓１１を通して１リール当たり３個の絵柄が観察可能となる。これにより、各リールの絵柄を１個ずつ組み合わせた直線状の入賞有効ラインが横３本、斜め２本の合計５本が設定される。遊技開始に先立ってメダル投入口２０から１枚のメダル２９を投入したときには、中央横１本の入賞有効ラインが有効化され、２枚では横３本、３枚ではさらに斜め２本を加えた５本の入賞有効ラインが有効化される。
【００１０】
スロットマシン１０では５０枚を限度に適正なメダル２９（図２参照）をクレジット（貯留）することが可能になっている。表示窓の下方には貯留されているメダルの枚数が表示されるクレジット枚数表示窓１３が設けられている。クレジット枚数表示窓１３の奥には、クレジット枚数表示窓１３を通してクレジットされているメダル２９の枚数を表示させるクレジット枚数表示装置（不図示）が設けられている。クレジットされるメダル２９の最大枚数は５０枚であるので、クレジット枚数表示窓１３には０〜５０の数値が表示されるようになっている。クレジット枚数表示窓１３の側方にはエラー表示窓１４が設けられている。エラー表示窓１４の奥には、エラー表示窓１４を通してエラーコードを表示させるエラーコード表示装置（不図示）が設けられている。機械動作、遊技動作に異常がある場合等には、エラー表示窓１４を通して異常に応じたエラーコードが表示されるようになっている。
【００１１】
図２に示すように、筐体１０ａ内には、ＣＰＵが組み込まれているメイン基板（不図示）、リールユニット２６、電源ボックス２７、貯留タンク２８等が設けられている。リールユニット２６は、第１〜第３リール１３ａ〜１３ｃと図示しない各リールに対応したステッピングモータ、バックランプ、第１〜第３リール１３ａ〜１３ｃの回転角を検出するフォトセンサ等が組み込まれて構成されている。バックランプは第１〜第３リール１３ａ〜１３ｃの内側で、縦方向に３個ずつ配置されており、遊技を行った結果、入賞有効ライン上に当選絵柄が３つ並んで、ビックボーナス（ＢＢ）又はレギュラーボーナス（ＲＢ）が入賞した場合には、表示窓１１に停止表示された当選絵柄を予め設定された特定のパターンで点灯、消灯、点滅させ、遊技者にＢＢ又はＲＢに当選したことを報知する。なお、バックランプの照明による報知は、ＢＢ又はＲＢ以外の当選役が当選されたことの報知や特定の当選役に当選した可能性を示唆する報知などを行うようにしてもよい。
【００１２】
電源ボックス２７には、電源スイッチ３０、設定変更スイッチ３１が設けられている。電源スイッチ３０は、スロットマシン１０の電源のオン／オフが行われ、設定変更スイッチ３１は、６段階のペイアウト率が設定されており、１プッシュごとに順次に可変される。
【００１３】
貯留タンク２８では、メダル投入口２０から投入されたメダルが貯留される。さらに、遊技を行ってメダルの払い出しを伴う当選役が入賞した場合には、ホッパー装置３２が駆動されて、当選役の種類に応じた枚数のメダル２９がメダル出口２８ａから払出し口２２に送り出され、受け皿２３にメダル２９が払い出される。さらに、前面扉１２の裏には、メダル投入口２０の下方にメダルセレクタ３３及びメダル案内部材３４が設けられている。メダルセレクタ３３には通路カバー３５が取り付けられている。
【００１４】
図３に示すように、メダルセレクタ３３は、本体基部４０、振分装置４１、メダル通過センサ４２から構成されている。本体基部４０は樹脂で形成されている。本体基部４０には、メダル２９の直径よりも幅がやや広い溝からなる第１メダル通路４４が形成されている。第１メダル通路４４は、メダル投入口２０から投入されたメダル２９の周縁の接触面となりメダル２９を流下させる台座部４４ａと、台座部４４ａに立設している本体基部４０の壁部４４ｂと、この壁部４４ｂに対向するように台座部４４ａに立設しているガイドレール４４ｃとから構成されている。なお、本体基部４０は、図中矢印Ｄに示す方向にやや傾くように前面扉１２に取り付けられているため、流下するメダル２９はガイドレール４４ｃの方向に自重がかかるように構成されている。
【００１５】
メダルセレクタ３３が前面扉１２に取り付けられると、第１メダル通路４４のメダル入口４４ｄはメダル投入口２０と連通するようになっており、メダル投入口２０から投入されたメダル２９はメダル入口４４ｄから第１メダル通路４４内に侵入する。第１メダル通路４４は、略Ｌ字形に屈曲するように形成されており、メダル入口４４ｄから第１メダル通路４４に侵入したメダル２９は、第１メダル通路４４の屈曲した部分を通過すると、その進行方向がメダル２９が第１メダル通路４４内に侵入した方向（図中矢印Ａに示す方向）と略直交した方向（図中矢印Ｂに示す方向）に変化するようになっている。
【００１６】
壁部４４ｂで、メダル入口４４ｄから見て第１メダル通路４４の屈曲した部分よりも下流側の第１メダル通路４４（図中矢印Ｂに示す方向にメダル２９が進行する部分）の上方には、振分装置取付部４０ｂが設けられている。振分装置取付部４０ｂは、本体基部４０に形成された略矩形状で凹状の溝からなり、この溝を取り囲む壁面のうちの第１メダル通路４４に臨む壁面は一部が開放されている。振分装置取付部４０ｂには振分装置４１が設けられている。
【００１７】
振分装置４１は、本体基部４０に取り付けられる取り付け板４１ａ、取り付け板４１ａに図中矢印Ｃに示す方向に回動自在に取り付けられる回動板４１ｂ、本体基部４０に取り付けられている回動板４１ｂに励磁作用を与えるソレノイド（図示せず）及び回動板４１ｂを付勢する捩じりバネ（図示せず）から構成されている。
【００１８】
取り付け板４１ａ及び回動板４１ｂは、金属製の薄板で形成されている。取り付け板４１ａは矩形状に形成されており、本体基部４０の振分装置取付部４０ｂの取付面４０ｃと直交して突出するように本体基部４０に取り付けられている。回動板４１ｂは略Ｔ字状に形成されており、取り付け板４１ａの突出方向と直交して振分装置取付部４０ｂの取付面４０ｃ、及び壁部４４ｂと対面するように取り付け板４１ａに回動自在に取り付けられている。回動板４１ｂが取り付け板４１ａに取り付けられると、回動板４１ｂの幅が広い部分であるメダル振り分け部４１ｃの一部は、壁部４４ｂと対向して突出し、振分装置取付部４０ｂの前述した開放部分から第１メダル通路４４内に侵入した後述する通過位置と、第１メダル通路４４内に侵入しない後述する排出位置とに電気的な制御によって変位自在な状態となる。また、メダル振り分け部４１ｃが第１メダル通路４４内に侵入した状態では、メダル振り分け部４１ｃの端縁と、台座部４４ａとの距離が、メダル２９の直径よりも小さくなるように、回動板４１ｂは取り付けられている。これにより、メダル振り分け部４１ｃは、台座部４４ａの上を転動するメダル２９の径方向上部面と接触してメダル２９を支持することができるように配置され、投入されたメダル２９は下流に位置する貯留タンク２８へと案内される。
【００１９】
また、回動板４１ｂは、前述したソレノイドの励磁作用とバネの復元力によって、取り付け板４１ｂとの取付部分に設けられた軸を支点に、メダル２９の通過を可能にする通過位置と、メダル振り分け部４１ｃがメダル２９の径方向上部面の支持を中止し、第１メダル通路４４からメダル２９を図中矢印Ｄに示す方向に落下させる排出位置との間で回動される。
【００２０】
メダル２９が投入されると、前述したソレノイドによる励磁作用が働くことで、回動板４１ｂは第１メダル通路４４の壁部４４ｂに向かう方向に付勢されて通過位置にセットされる。これにより、メダル２９が正規の大きさであれば、回動板４１ｂのメダル振り分け部４１ｃによってメダル２９の転動方向が図中矢印Ｂ方向に規制されるので、メダル２９は第１メダル通路４４を通過する。
【００２１】
メダル２９が貯留されている枚数が上限枚数である５０枚に達している場合や、遊技を行っている最中（スタートレバー１８を操作して第１〜第３リール１３ａ〜１３ｃが回転してから、全ての第１〜第３リール１３ａ〜１３ｃが停止されるまでの状態）、メダル通過センサ４２やメダルの材質または大きさ等の検知で不正なメダルであると判断された場合などには、前述したソレノイドの励磁作用が断たれ、回動板４１ｂはバネの復元力によってメダル２９の径方向上部面を支持する通過位置からメダル２９の径方向上部面を支持しない排出位置にセットされる。これにより支えを失った不正なメダル２９が、払出しシュート３６を介して払出し口２２から払い出される。
【００２２】
メダル通過センサ４２は、第１メダル通路４４の振分装置４１が設置されている箇所よりも下流側に設けられており、第１メダル通路４４を転動してきたメダル２９を検出する。
【００２３】
メダル通過センサ４２は、第１メダルセンサ４５及び第２メダルセンサ４６から構成されている。第１及び第２メダルセンサ４５、４６は、メダル２９の進行方向に沿って上流側に第１メダルセンサ４５、下流側に第２メダルセンサ４６が配置されている。図７に示すように、第１及び第２メダルセンサ４５、４６は、ＬＥＤなどの発光素子からなる投光部４５ａ、４６ａと受光素子からなる受光部４５ｂ、４６ｂとを一体に備えた反射型の光電センサであって、第１メダル通路４４の壁部４４ｂに取り付けられている。投光部４５ａ、４６ａ及び受光部４５ｂ、４６ｂは、第１メダル通路４４を流下するメダル２９の径方向の面に対峙するように配置されている。
【００２４】
メダル２９が、第１メダルセンサ４５、第２メダルセンサ４６を順次に通過した場合（メダル２９が、第１メダルセンサ４５の投光部４５ａ、第２メダルセンサ４６の投光部４６ａの光路を順次に遮られた場合）には、投光部４５ａ、４６ａから投光した光がメダル２９で反射し、反射した光が受光部４５ｂ、４６ｂで受光され、各センサはオンとなる。これにより、メダル２９の検出が開始される。また、メダル２９が、第１メダルセンサ４５や第２メダルセンサ４６を通過していない場合（メダル２９が、第１メダルセンサ４５の投光部４５ａや第２メダルセンサ４６の投光部４６ａの光路を遮蔽していない状態）には、各センサの投光部４５ａ、４６ａから投光した光が反射されないため、各センサはオフとなる。これにより、メダル２９の検出が終了される。
【００２５】
第１及び第２メダルセンサ４５、４６の配置についてさらに具体的に説明すると、第１及び第２メダルセンサ４５、４６は、メダル２９が第１メダル通路４４を転動する際に、必ず第１及び第２メダルセンサ４５、４６によりメダル２９を順次に検出できる間隔となるように配置されており、さらに、メダル２９が連続投入（複数枚のメダル２９が連なって第１メダル通路４４を通過するようにメダル投入口２０からメダル２９が投入された状態）された場合にも、１枚のメダル２９を第１及び第２メダルセンサ４５、４６で順次に検出した後に、必ず第１及び第２メダルセンサ４５、４６が一度はオフになってから次のメダル２９を検出できるような位置に配置されている。つまり、図８に示すように、壁部４４ｂに設けられる第１及び第２メダルセンサ４５、４６は、流下する複数のメダル２９の周面が互いに接触して連なった際のメダル２９の直径高さ内の上部に生じる隙間部４４ｅに収まるように配置され、第１及び第２メダルセンサ４５、４６が一度に２枚以上のメダル２９を検出しないようにしている。
【００２６】
従って、メダル２９の通過に要する予め定められた時間内において、第１メダルセンサ４５、第２メダルセンサ４６の順にメダル２９の検出が行われずに、検出される順番が逆になっている場合には、メダル２９の流下方向と逆流していることとなるため、エラーであると判断することができる。
【００２７】
メダルセレクタ３３の側方には、メダル案内部材３４が隣接して配置されている。第１メダル通路４４を転動してきたメダル２９はメダル案内部材３４によって貯留タンク２８に導かれる。
【００２８】
メダル案内部材３４には、その断面を略コの字形状とした溝からなる第２メダル通路４７が形成されている。第２メダル通路４７は第１メダル通路４４に連設されている。よって、第１メダル通路４４を転動してきたメダル２９は第２メダル通路４７に進入する。
【００２９】
メダル案内部材３４は第１メダル通路４４内を図中矢印Ｂ方向に転動するメダル２９が第２メダル通路４７でスロットマシン１０の背面側に向かう方向（図中矢印Ｅ方向）に進行方向を変更するように、屈曲して形成されている。メダル案内部材３４の長さは、前面扉１２が閉じられると、第２メダル通路４７のメダル出口４７ａが貯留タンク２８の上方に位置するように設定されている。また、第２メダル通路４７は第１メダル通路４４からメダル２９が進入する方の端部からメダル出口４７ａにかけて下方に傾斜しており、第１メダル通路４４から第２メダル通路４７に進入したメダル２９は、その傾斜によって第２メダル通路４７を転動する。
【００３０】
図３及び図７に示すように、メダル通過センサ４２の下方には第１メダル通路内に向けて突出している突出板（移動部材）４８が設けられている。図４、５に示すように、突出板４８は、略台形状に形成されている。突出板４８の両側端面には直方形状のガイド片５１が設けられている。なお、突出板４８の両側端面に対して略直交している端面４８ａの長さ、すなわち、一方の側端面から他方の側端面までの距離αは、メダル投入口２０の幅βよりも長くなるように設定されている。
【００３１】
メダル通過センサ４２の真下の壁部４４ｂにはメダル２９の流下経路に沿って延びている矩形状の孔部４４ｆが形成されており、この孔部４４ｆから突出板４８が第１メダル通路４４内に向けて突出するように設けられている。
【００３２】
孔部４４ｆの奥（壁部４４ｂの背面側）には、突出板４８及び２つのコイルバネ４９を収納するための収納室５０が設けられている。収納室５０は箱状に形成されており、１面に開口５０ａが形成されている。開口５０ａは孔部４４ｆに対向しており、収納室５０の端面５０ｂは工業用接着剤などによって壁部４４ｂの第１メダル通路４４側の壁面とは反対側の壁面に固着されている。これにより第１メダル通路４４は孔部４４ｆを通して収納室５０と連通される。
【００３３】
収納室５０の奥壁５０ｃの内壁面５０ｄは、第１メダル通路４４を流下するメダル２９の径方向の面に対して略平行に形成されており、側壁５０ｅ、５０ｆの内壁面５０ｇ、５０ｈは、第１メダル通路４４を流下するメダル２９の径方向の面に対して略直交するように形成されている。
【００３４】
コイルバネ４９は突出板４８を第１メダル通路４４内に向けて付勢するためのものであり、コイルバネ４９の基端は、奥壁５０ｃの内壁面５０ｄに、コイルバネ４９の先端は、突出板４８の端面４８ａに固着されている。これにより、コイルバネ４９に外力が加えられていない状態では、突出板４８の湾曲面４８ｂは、第１メダル通路４４を流下するメダル２９に対向するように第１メダル通路４４内に突出し、第１メダル通路４４を流下するメダル２９の流下経路は突出板４８によって常時遮断された状態となる。
【００３５】
収納室５０の側壁５０ｅ、５０ｆの内壁面５０ｇ、５０ｈにはメダル２９の流下経路に対して略直交している方向で、端面５０ｂから奥壁５０ｃにかけて延びている長溝５０ｉ、５０ｊが形成されている（図６参照）。この長溝５０ｉ、５０ｊに突出板４８のガイド片５１が嵌め込まれる。これにより、第１メダル通路４４内を流下してきたメダル２９が突出板４８の湾曲面４８ｂに衝突して流下方向に押されることによって、突出板４８にはコイルバネ４９の付勢に抗して奥壁５０ｃの内壁面５０ｄに向けて略直交して押し込む方向（図４の矢印Ｆ方向）に外力が加えられる。
【００３６】
このように構成されることで、突出板４８は、第１メダル通路４４を流下するメダル２９の径方向の面に対して略直交する方向から第１メダル通路４４内に突出する突出位置と、第１メダル通路４４内を流下するメダル２９によって押圧されて突出位置から収納室５０内に退避する退避位置との間で移動自在となる。また、メダル２９の押圧によって突出板４８が突出位置から退避位置に移動し、メダル２９が突出板４８の設置されている箇所を通過した後、突出板４８はコイルバネ４９の付勢力によって退避位置から突出位置に戻される。このように、コイルバネ４９は、メダル２９によって押された突出板４８を退避位置から突出位置に向けて付勢することで第１メダル通路４４を遮断した状態に戻す付勢部材として機能する。なお、コイルバネ４９の付勢力は、投入されたメダル２９の押圧によって突出板４８を突出位置から退避位置にスムーズに移動可能であり、且つメダル２９が突出板４８の設置されている箇所を通過後には素早く突出板４８を退避位置から突出位置に移動させるだけの強さを有している。
【００３７】
図１１に示すように、ゴト行為に用いられる器具の１つである器具６０はメダル投入口２０に挿入することが可能な板状の部材で形成され、その先端部にはＬＥＤ６０ａ〜６０ｃが設けられている。ＬＥＤ６０ａ〜６０ｃはそれぞれ異なるタイミングで点滅するように制御されている。器具６０を用いてゴト行為を行う場合、例えばＬＥＤ６０ａ〜６０ｃをメダル通過センサ４２の下方に一旦位置させた後、メダル通過センサ４２の下方からＬＥＤ６０ａ〜６０ｃを上方に移動させるように器具６０を操作する。ＬＥＤ６０ａ〜６０ｃがメダル通過センサ４２と対面すると、メダル通過センサ４２は、ＬＥＤ６０ａ〜６０ｃの点滅する光を検知してオン／オフを繰り返す。これにより、あたかもメダル２９が第１メダル通路４４を通過したかのようにメダル通過センサ４２を誤認識させることができる。
【００３８】
次に、上記構成による作用について説明する。メダル投入口２０からメダル２９を投入すると、投入されたメダル２９が第１メダル通路４４に進入する。第１メダル通路４４を流下するメダル２９は、やがて第１メダル通路４４内に突出している突出板４８の湾曲面４８ｂに接触する。メダル２９が突出板４８を押圧し、湾曲面４８ｂに摺接しながら第１メダル通路４４を流下していくと、これに追従して突出板４８がコイルバネ４９の付勢力に抗して図４に示す突出位置から図５に示す退避位置に向けて移動していく。メダル２９が突出板４８をさらに押圧していくと、やがて突出板４８は退避位置に到達する。メダル２９は径方向の面を突出板４８に摺接させながら突出板４８の設置されている箇所を通過していく。メダル２９が突出板４８の設置されている箇所を通過し終えると同時に、突出板４８はコイルバネ４９の付勢力によって退避位置から突出位置に戻される。
【００３９】
図７に示すように、メダル投入口２０から器具６０を挿入して、ＬＥＤ６０ａ〜６０ｃをメダル通過センサ４２の下方に一旦位置させた後、ＬＥＤ６０ａ〜６０ｃをメダル通過センサ４２に対面させるためにＬＥＤ６０ａ〜６０ｃを上方に引き上げるように器具６０を操作しようとした場合、器具６０の先端部が突出位置にある突出板４８に干渉するため、ＬＥＤ６０ａ〜６０ｃの上方への移動が阻止される。よって、ＬＥＤ６０ａ〜６０ｃをメダル通過センサ４２に対面させることができないので、メダル通過センサ４２の受光部４５ｂ、４６ｂにＬＥＤ６０ａ〜６０ｃからの光を受光させて、あたかもメダル２９が第１メダル通路４４を通過したかのようにメダル通過センサ４２を誤認識させるゴト行為を確実に防止することができる。
【００４０】
上記実施形態では、流下するメダル２９の径方向の面に対して略直交する方向で突出板４８をスライドさせるようにしたが、これに限ることなく、図９に示すように、回動片７０を孔部４４ｆ近傍に設けても良い。この場合、回動片７０は、孔部４４ｆに隣接して設けられている台座７１にヒンジ７２を介して回動自在に取り付けられている。ヒンジ７２には捩じりコイルバネ７３が取り付けられており、この捩じりコイルバネ７３の基端は台座７１に固着され、先端は回動片７０に固着される。これにより、回動片７０に形成されている傾斜面７０ａは、孔部４４ｆから第１メダル通路４４を流下するメダル２９に対向するように第１メダル通路４４内に突出する。
【００４１】
このように構成されることで、回動片７０は、第１メダル通路４４を流下するメダル２９の径方向の面に対して略直交する方向から第１メダル通路４４内に突出する突出位置（図９参照）と、第１メダル通路４４内を流下するメダル２９によって押圧されて突出位置から退避する退避位置（図１０参照）との間で回動自在となる。
【００４２】
第１メダル通路４４を流下してきたメダル２９が突出位置にある回動片７０を押圧すると、回動片７０は捩じりコイルバネ７３の付勢力に抗しながら退避位置に移動する。メダル２９は径方向の面を回動片７０に摺接させながら回動片７０の設置されている箇所を通過していく。メダル２９が回動片７０の設置されている箇所を通過し終えると同時に、回動片７０は捩じりコイルバネ７３の付勢力によって退避位置から突出位置に戻される。
【００４３】
メダル投入口２０から器具６０を挿入して、ＬＥＤ６０ａ〜６０ｃをメダル通過センサ４２の下方に一旦位置させた後、ＬＥＤ６０ａ〜６０ｃをメダル通過センサ４２に対面させるためにＬＥＤ６０ａ〜６０ｃを上方に引き上げるように器具６０を操作しようとした場合、突出位置にある回動片７０によってＬＥＤ６０ａ〜６０ｃの上方への移動が阻止されるので、器具６０を用いてメダル通過センサ４２を誤認識させるといったゴト行為を確実に防止することができる。
【００４４】
上記実施形態では、長溝５０ｉ、５０ｊを収納室５０の端面５０ｂから奥壁５０ｃにかけて形成したが、突出板４８がメダル２９で押圧された際に、突出板４８が、湾曲面４８ｂの一部を第１メダル通路４４に突出させたまま第１メダル通路４４から退避して収納室５０に収納されるように、長溝５０ｉ、５０ｊの長さを設定しても良い。つまり、突出板４８がメダル２９で押圧されたときに長溝５０ｉ、５０ｊの奥壁５０ｃ側の端部にガイド片５１が係止したときに、湾曲面４８ｂの一部が第１メダル通路４４に突出するように長溝５０ｉ、５０ｊを形成する。このように突出板４８の一部を第１メダル通路４４に少し残した状態でメダル２９を通過させることにより、板状の不正器具をメダル投入口２０から挿入し、その不正器具で突出板４８を押圧してから器具６０を挿入して、上述したゴト行為を実行しようとしても、突出板４８の第１メダル通路４４に突出している部分が障害物となり、器具６０のＬＥＤ６０ａ〜６０ｃをメダル通過センサ４２に対面させることができなくなる。
【００４５】
上記実施形態では第１及び第２メダルセンサ４５、４６を反射型の光電センサとしたが、投光部と受光部とを対向して配置し、投光部からの光を受光部に当てて、該光を遮断することによりメダルを検出させる透過型の光電センサを用いても良い。例えば、図１２に示すように、取付面４０ｃに、透過型の光電センサである第１メダルセンサ８０の投光部８０ａと、同じく透過型の光電センサである第２メダルセンサ８１の投光部８１ａとを設け、壁部４４ｂに第１メダルセンサ８０の受光部８０ｂと第２メダルセンサ８１の受光部８１ｂを設ける。さらに、投光部８０ａ、８１ａに対向した位置に鏡８２を設ける。鏡８２の鏡面８２ａの向きは、投光部８０ａからの光が受光部８０ｂで、投光部８１ａからの光が受光部８１ｂで受光されるように設定する。このような構成にすることで、メダル２９が第１メダル通路４４を通過していない場合には受光部８０ｂ、８１ｂでは常に受光が行われており、メダル２９が第１メダル通路４４を通過した場合には、メダル２９の径方向の面で光が遮られるので、そのときに限り受光部８０ｂ、８１ｂでは受光が行われなくなる。受光部８０ｂ、８１ｂで受光が行われたか否かを検出することによって、第１メダル通路４４をメダル２９が通過したか否かを判別することができる。この場合、孔部４４ｆを壁部４４ｂの受光部８０ｂ、８１ｂの下方に形成し、突出板４８を孔部４４ｆから突出させるように設置すれば良い。
【図面の簡単な説明】
【００４６】
【図１】本発明を用いたスロットマシンの外観を示す斜視図である。
【図２】スロットマシンの内部を示す斜視図である。
【図３】メダルセレクタの構成を示す斜視図である。
【図４】突出板が突出位置にあるときの第１メダル通路を示す断面図である。
【図５】突出板が退避位置にあるときの第１メダル通路を示す断面図である。
【図６】Ｇ−Ｇ’端面図である。
【図７】メダルセレクタの構成を示す正面図である。
【図８】メダルが連なって流下している状態を示す第１メダル通路の断面図である。
【図９】回動片が突出位置にあるときの第１メダル通路を示す断面図である。
【図１０】回動片が退避位置にあるときの第１メダル通路を示す断面図である。
【図１１】メダルセレクタ内にゴト行為の際に用いられる器具が挿入された状態を示す説明図である。
【図１２】メダルセレクタの構成を示す斜視図である。
【符号の説明】
【００４７】
１０    スロットマシン（遊技機）
２９    メダル
４５ａ、４６ａ    投光部
４５ｂ、４６ｂ    受光部
４４    第１メダル通路
４８    突出板（移動部材）
【図１】
2006015010.tif 000003
【図２】
2006015010.tif 000004
【図３】
2006015010.tif 000005
【図４】
2006015010.tif 000006
【図５】
2006015010.tif 000007
【図６】
2006015010.tif 000008
【図７】
2006015010.tif 000009
【図８】
2006015010.tif 000010
【図９】
2006015010.tif 000011
【図１０】
2006015010.tif 000012
【図１１】
2006015010.tif 000013
【図１２】
2006015010.tif 000014